(57)【要約】【課題】光源にＬＥＤを用いて、正面の拡散板から均一性の高い光を放出できる管状ＬＥＤ照明内蔵看板を提供する。【解決手段】管状ＬＥＤ照明内蔵看板１に、正面を解放した筐体２と、前記筐体２の正面に設けられた拡散板３と、前記筐体２内部に設けられてＬＥＤ５５の光を正面側へ向かって反射する反射板４と、前記反射板４と前記拡散板３の間に形成される光調節空間Ｅの一側部近傍に該一側部と平行に配置され複数のＬＥＤ５５を有する管状ＬＥＤ照明５とを備え、前記反射板４は、前記光調節空間Ｅにおける前記管状ＬＥＤ照明５の反対側で前記管状ＬＥＤ照明５から遠ざかるほど前記拡散板３側へ向かって傾斜または湾曲する前傾部４１を備えた。【選択図】図１
0003184541.tif 000002
【実用新案登録請求の範囲】
【請求項１】
正面を解放した筐体と、
前記筐体の正面に設けられた拡散板と、
前記筐体内部に設けられてＬＥＤの光を正面側へ向かって反射する反射板と、
前記反射板と前記拡散板の間に形成される光調節空間の一側部近傍に該一側部と平行に配置され複数のＬＥＤを有する管状ＬＥＤ照明とを備え、
前記反射板は、
前記光調節空間における前記管状ＬＥＤ照明の反対側で前記管状ＬＥＤ照明から遠ざかるほど前記拡散板側へ向かって傾斜または湾曲する前傾部を備えた
管状ＬＥＤ照明内蔵看板。
【請求項２】
前記反射板は、
前記管状ＬＥＤ照明の長手方向を横方向として前記拡散板の縦方向の長さを見たとき、前記前傾部の長さは、前記光調節空間の長さの１／２から２／３の範囲内である
請求項１記載の管状ＬＥＤ照明内蔵看板。
【請求項３】
前記反射板は、反射面が白色である
請求項１または２記載の管状ＬＥＤ照明内蔵看板。
【請求項４】
前記管状ＬＥＤ照明は、
前記複数のＬＥＤを長手方向に並べて配置した基板と前記ＬＥＤの熱を放出するヒートシンクとを有する発光ユニットと、
前記発光ユニットが周の一部に設けられて残りの１８０°以上の周が透光部となる透光カバーとで構成され、
前記透光カバーの透光部は、前記ＬＥＤの光を屈折させて周方向へ広角に広げる光屈折部を備えた
請求項１、２、または３記載の管状ＬＥＤ照明内蔵看板。
【請求項５】
前記透光部を透過した前記ＬＥＤの光の広がりが２７０°以上である
請求項４記載の管状ＬＥＤ照明内蔵看板。
【請求項６】
前記管状ＬＥＤ照明は、
前記発光ユニットを前記光調節空間の側部側から前記反射板側までの間の方向に向けて配置され、
前記管状ＬＥＤ照明から照射されるＬＥＤの光が前記拡散板から直接放射されるよりも前記反射板で反射してから放射される方が多い構成である
請求項４または５記載の管状ＬＥＤ照明内蔵看板。
【請求項７】
前記管状ＬＥＤ照明は、前記透光部の周長と同程度の距離だけ前記拡散板から離間して配置された
請求項４、５または６記載の管状ＬＥＤ照明内蔵看板。
【請求項８】
前記反射板および前記管状ＬＥＤ照明を前記前傾部の端部を中心に対称に配置して互いの前記前傾部の端部を連結または近接させ、
前記拡散板を、対称に配置した前記反射板全体の大きさとして該反射板全体の正面に配置して、
前記光調節空間を連続させた空間を構成し、
これらをさらに背面で対称に配置し、
この配置によって前記前傾部の背面側にできた空間に支柱を配置した
請求項１から７のいずれか１つに記載の管状ＬＥＤ照明内蔵看板。
【考案の詳細な説明】
【技術分野】
【０００１】
この考案は、看板内部に蛍光灯ではなく管状ＬＥＤ照明を用いるような管状ＬＥＤ照明内蔵看板に関する。
【背景技術】
【０００２】
従来、箱型の筐体の内部に蛍光灯を配置し、筐体正面に意匠を施した拡散板を配置して、拡散板に描かれた意匠を蛍光灯で発光表示するような蛍光灯看板が用いられている。この蛍光灯看板は、底部に車輪がついていて各種店舗の店先に置かれるようなもの、店舗入り口の上部に横長に据え付けられたもの、ビルの側部近傍に前方へ張り出すようにして縦長に設けられたものなど、様々な場所で使用されている。
【０００３】
ここで、蛍光灯を用いる蛍光灯看板は、消費電力が大きいという問題点がある。このため、消費電力を小さくすることが望まれている。
【０００４】
一方、消費電力の小さい照明として、ＬＥＤ照明が存在している。このＬＥＤ照明として、蛍光灯と同じような形状の管状ＬＥＤ照明も提案されている。この管状ＬＥＤ照明を蛍光灯の代わりに用いることができれば、消費電力を小さくすることができる可能性がある。
【０００５】
しかし、ＬＥＤ照明の光は、蛍光灯と異なり直進性が強い問題がある。このため、看板の正面に設けられた拡散板を均等に近い光量で照明するのが困難である。すなわち、拡散板の背面側に管状ＬＥＤ照明を配置すると、管状ＬＥＤ照明の真正面からは正面へ向かって強烈な光が放射されて明るく、管状ＬＥＤ照明から離れた拡散板の端部付近は斜め方向に弱い光が放射されて少し暗く見えてしまうという問題がある。この問題点を解決できる管状ＬＥＤ照明を用いた看板は存在していなかった。
【０００６】
念のため特許文献を調査したところ、看板用直管蛍光灯型ＬＥＤランプ（特許文献１参照）、および両面看板用直管蛍光灯型ＬＥＤランプ（特許文献２参照）が提案されていた。
【０００７】
しかし、これらはいずれもＬＥＤの直接光を拡散板に向かって真っすぐに照射するものであるため、直進性の高いＬＥＤ照明特有の明るさの差を解消できるものではなかった。
【先行技術文献】
【特許文献】
【０００８】
【特許文献１】特開２０１２−５４０２６号公報
【特許文献２】特開２０１３−３３５９４号公報
【考案の概要】
【考案が解決しようとする課題】
【０００９】
この考案は、上述した問題に鑑み、光源にＬＥＤを用いて、正面の拡散板から均一性の高い光を放出できる管状ＬＥＤ照明内蔵看板を提供することを目的とする。
【課題を解決するための手段】
【００１０】
この考案は、正面を解放した筐体と、前記筐体の正面に設けられた拡散板と、前記筐体内部に設けられてＬＥＤの光を正面側へ向かって反射する反射板と、前記反射板と前記拡散板の間に形成される光調節空間の一側部近傍に該一側部と平行に配置され複数のＬＥＤを有する管状ＬＥＤ照明とを備え、前記反射板は、前記光調節空間における前記管状ＬＥＤ照明の反対側で前記管状ＬＥＤ照明から遠ざかるほど前記拡散板側へ向かって傾斜または湾曲する前傾部を備えた管状ＬＥＤ照明内蔵看板であることを特徴とする。  
【考案の効果】
【００１１】
この考案により、光源にＬＥＤを用いて、正面の拡散板から均一性の高い光を放出することができる。
【図面の簡単な説明】
【００１２】
【図１】実施例１の管状ＬＥＤ照明内蔵看板の構成の説明図。
【図２】実施例２〜６の管状ＬＥＤ照明内蔵看板の構成の説明図。
【図３】実施例７の管状ＬＥＤ照明内蔵看板の構成の縦断面図。
【考案を実施するための形態】
【００１３】
以下、この考案の一実施形態を図面と共に説明する。  
【実施例１】
【００１４】
図１は、管状ＬＥＤ照明内蔵看板１の構成を説明する説明図であり、図１（Ａ）は管状ＬＥＤ照明内蔵看板１の一部分解斜視図、図１（Ｂ）は管状ＬＥＤ照明内蔵看板１の縦断右側面図、図１（Ｃ）は管状ＬＥＤ照明５の縦断右側面図を示す。
【００１５】
図１（Ａ）に示すように、管状ＬＥＤ照明内蔵看板１は、正面を開放した直方体形状の筐体２と、筐体２の正面を被覆する長方形の拡散板３と、筐体２内の背面全体を被覆する反射板４と、筐体２内の下部に前記拡散板３と並行に配置された管状ＬＥＤ照明５とを備えている。
【００１６】
筐体２は、上面板２１と、背面板２２と、左右の側面板２３，２３と、底面板２４とで構成され、全体のフレームを形成している。なお、筐体２は、この構成に限らず、棒状の枠組みで直方体形状に形成し、正面に加えて、上面、背面、底面、側面、およびこれらの複数を開放してもよい。この場合でも、拡散板３と反射板４によって目的の照明効果を得ることはできる。
【００１７】
拡散板３は、肉厚が略一定の長方形の板であり、乳白色のプラスチックなど、光を拡散する板状部材によって構成されている。この拡散板３には、店名やロゴマーク、営業時間など、適宜の意匠が描かれる。
【００１８】
反射板４は、下方側で筐体２の背面に接する空間確保部４２と、上方へ行くに従って正面側へ張り出すように傾斜配置された前傾部４１とを有している。前傾部４１の端部は、拡散板３に当接または近接している。この反射板４は、正面側全体が白色塗装されている。これにより、管状ＬＥＤ照明５から放射される光を適切に反射する。
【００１９】
管状ＬＥＤ照明５は、筐体２の内部の下方、言い換えれば反射板４の前傾部４１と反対側の側部内側に筐体２の底面および拡散板３と並行に配置されている。この管状ＬＥＤ照明５は、筐体２の底部に設けられた複数の装着部６に両端が取り付けられて位置決めされている。
【００２０】
この実施例では、２つの管状ＬＥＤ照明５を長手方向に並べて配置しているが、管状ＬＥＤ照明内蔵看板１の大きさに応じて、管状ＬＥＤ照明５を１つとする、あるいは２以上の管状ＬＥＤ照明５を長手方向に並べて配置するなど、適宜の数を備えるとよい。
【００２１】
装着部６は、管状ＬＥＤ照明５を両端で支持している。この挿着部６は、管状ＬＥＤ照明５の向きを人の手で周方向に回転調整可能であり、回転調整された後は容易には回転しないように角度を固定する。すなわち、人が手である程度力を入れて管状ＬＥＤ照明５を回転させると任意に回転するが、手が離された後は、管状ＬＥＤ照明内蔵看板１が多少の衝撃を受けても管状ＬＥＤ照明５が回転しないように構成されている。
【００２２】
図１（Ｂ）に示すように、管状ＬＥＤ照明内蔵看板１は、拡散板３と反射板４の間に光調節空間Ｅを有し、この光調節空間Ｅ内で管状ＬＥＤ照明５から放出される光を調節する。反射板４は、前傾部４１の高さＳａが空間確保部４２の高さＳｂと同一から２倍の範囲、言い換えれば反射板４の全体の高さＳに対して前傾部４１の高さＳａは２／３から１／２の範囲に形成されている。ここでの高さＳ，Ｓａ，Ｓｂは、拡散板３と並行で管状ＬＥＤ照明５の長手方向と直行する方向に見た長さを指している。また、前傾部４１は、上面板２１との角度θ１が４５°〜６０°の範囲となるように傾斜している。
【００２３】
この構成により、管状ＬＥＤ照明５から光が放出されて反射板４で反射し、拡散板３に到達するまでの光の行路長Ｌ（Ｌ１，Ｌ２，Ｌ３）が、ほぼ等しい距離となる。すなわち、管状ＬＥＤ照明５から照射された光が拡散板３に到達するまでの距離が、拡散板３の全面でほぼ等しくなるため、拡散板３から均一性の高い光を照射することができる。
【００２４】
図１（Ｃ）に示すように、管状ＬＥＤ照明５は、円筒形の一部にスリットが設けられた断面が略Ｃ型となる透光カバー５７と、この透光カバー５７の両スリット端５７ａ，５７ａに接続して固定された発光ユニット５０とを有している。
【００２５】
発光ユニット５０は、透光カバー５７の両スリット端５７ａ，５７ａが固定されるヒートシンク５１と、管状ＬＥＤ照明５の長手方向に長い基板５３と、この基板５３上に管状ＬＥＤ照明５の長手方向に沿って並べて配置した複数のＬＥＤ５５とを有している。これにより、ＬＥＤ５５の発光時に生じる熱をヒートシンク５１から管状ＬＥＤ照明５の外へ放出するようにしており、ＬＥＤ５５の動作を安定させ、かつＬＥＤ５５の寿命を長くしている。また、少なくともＬＥＤ５５と基板５３を一体にして透明の被覆カバー（図示省略）で隙間なく被覆し、防水性を高めている。これにより、雨などで管状ＬＥＤ照明５内部へ水分が侵入しても、ＬＥＤ５５周辺の回路が濡れることを防止し、回路が水でショートして故障することなく安定稼働できるようにしている。
【００２６】
透光カバー５７は、光を放出する光放出角θ２が２７０°であり、この光放出角θ２の全範囲である透光部ＲにＬＥＤの光を屈折させて周方向に広げる（照射角を拡げる）光屈折部５８が内面に設けられている。この光屈折部５８は、スリットやレンチキュラーレンズなど、適宜の構造とすることができる。なお、光放出角θ２は３００°とするなど、２７０°以上の適宜の角度とすることが好ましい。
【００２７】
管状ＬＥＤ照明５は、管状ＬＥＤ照明５の非発光方向Ａが、筐体２の下方となる側端方向Ｌから拡散板３側となる正面方向Ｆの間の角度θ３の範囲内に位置するように、装着部６に取り付けられて位置決めされる。そして、装着部６は、管状ＬＥＤ照明５の向きを角度θ３の範囲内である程度回転調整できるように管状ＬＥＤ照明５を支持する。
【００２８】
管状ＬＥＤ照明５は、図１（Ｂ）に示したように、拡散板３からの距離Ｂが、透光部Ｒの周長（スリット端５７ａからスリット端５７ａまでの長さ）に近いかそれ以下に配置されている。特に距離Ｂを透光部Ｒの周長とほぼ同じにすることで、光の均一性を高めることができる。
【００２９】
以上の構成により、管状ＬＥＤ照明内蔵看板１は、光源にＬＥＤ５５を用いて、正面の拡散板３から均一性の高い光を放出できる
管状ＬＥＤ照明５から放出される光は、光調節空間Ｅの主に上方から背面の間の範囲に向かって照射され、反射板４で反射されてから拡散板３に到達する光が大部分であるため、管状ＬＥＤ照明５から拡散板３に到達するまでの行路長Ｌを、拡散板３の全面に渡ってほぼ等しくすることができる。
【００３０】
また、装着部６（図１（Ａ）参照）により管状ＬＥＤ照明５の角度を調節できるため、拡散板３に描かれた意匠に応じて、最も均一性が高く光る角度を適宜調節することができる。特に、拡散板３は、意匠によって光の不透過部分が存在し、その部分については光が光調節空間Ｅ内に戻って乱反射する。この乱反射を踏まえて管状ＬＥＤ照明５の光放出角度を調節できるため、意匠によって光が不均一となることを防止でき、意匠に応じた照明を行うことができる。
【００３１】
また、管状ＬＥＤ照明５の透光カバー５７は、光屈折部５８を有するため、広範囲にわたって照明することができる。これにより、直進性が高いＬＥＤの照明範囲を広げ、均一性の高い光を拡散板３に入射させることができ、看板として明るさを均一化することができる。特に、光屈折部５８によって管状ＬＥＤ照明５から放出される光の広がりを２７０°以上とすることで、看板として明るさをより均一化することができる。
【００３２】
また、管状ＬＥＤ照明５の非発光方向Ａを正面方向Ｆから側端方向Ｌの間になるように設定しているため、管状ＬＥＤ照明５からの直接光を拡散板３に対して直角に入射させることを抑制でき、拡散板３に入射する光の大部分を反射板４による反射光とすることができる。これにより、均一性の高い拡散板３の照明を実現することができ、拡散板３の意匠を均一性の高い光で見せることができる。
【００３３】
また、拡散板３からの距離Ｂが、透光部Ｒの周長とほぼ同じであるため、拡散板３に管状ＬＥＤ照明５の影が写ることや管状ＬＥＤ照明５の直接光が入射することを防止し、かつ、反射板４と拡散板３の意匠部とで乱反射された光を、拡散板３における管状ＬＥＤ照明５に近い部分から放出することができる。
【００３４】
また、前傾部４１の高さが空間確保部４２の高さと同じから２倍の高さの範囲にしたことで、管状ＬＥＤ照明５から拡散板３までの行路長Ｌをより均一化することができ、均一性の高い照明を行うことができる。  
また、反射板４を白色としたことで、鏡面にするよりもＬＥＤ５５の光をより反射させることができる。
【００３５】
また、管状ＬＥＤ照明５を用いることで、蛍光灯を用いるよりも消費電力を抑制することができる。特に、蛍光灯よりも管状ＬＥＤ照明５の数を減らすことができるため、蛍光灯とＬＥＤとの消費電力の差以上に消費電力を抑制することができる。
【００３６】
なお、側面板２３は、着脱式とすることができる。これにより、拡散板３を取り付けた状態で管状ＬＥＤ照明５の角度を調節できる。またこれにより、仮に設置後に管状ＬＥＤ照明５の角度が何らかの原因で変化しても、容易に直すことができる。
【００３７】
次に、図２の説明図と共に、実施例１の管状ＬＥＤ照明内蔵看板１の技術思想を利用した様々な管状ＬＥＤ照明内蔵看板１Ａ〜１Ｅについて説明する。  
【実施例２】
【００３８】
図２（Ａ）は、管状ＬＥＤ照明内蔵看板１を上端側で対称にして接続した実施例２の管状ＬＥＤ照明内蔵看板１Ａの縦断面図である。  
この場合、前傾部４１Ａが対象に接続されて「く」字型となり、上下の光調節空間ＥＡ，ＥＡが連結して１つの空間となる。拡散板３Ａは、１枚の大きな拡散板となる。筐体２Ａは、背面板２２Ａが１枚の大きな板となる。その他の構成は、実施例１の管状ＬＥＤ照明内蔵看板１と同一であるので、同一要素に同一符号を付して詳細な説明を省略する。
【００３９】
この構成により、実施例１より広い面積の拡散板３Ａに大きな意匠を施すことができ、実施例１と同一の効果を得ることができる。
【実施例３】
【００４０】
図２（Ｂ）は、管状ＬＥＤ照明内蔵看板１を下端側で対称にして接続した実施例３の管状ＬＥＤ照明内蔵看板１Ｂの縦断面図である。  
この場合、筐体２Ｂは、拡散板３Ｂと背面板２２Ｂを大きく構成し、その中に、実施例１の反射板４を下端で対称に接続した形状の反射板４Ｂを備える。光調節空間ＥＢ，ＥＢは連結され、１つの大きな空間となる。管状ＬＥＤ照明５は、高さ方向の中央付近に上下対称に配置する。その他の構成は、実施例１の管状ＬＥＤ照明内蔵看板１と同一であるので、同一要素に同一符号を付して詳細な説明を省略する。  
この構成により、実施例２と同一の効果を得ることができる。
【実施例４】
【００４１】
図２（Ｃ）は、実施例２の管状ＬＥＤ照明内蔵看板１Ａを背面で対称に接続して両面看板とした実施例４の管状ＬＥＤ照明内蔵看板１Ｃの縦断面図である。  
筐体２Ｃは、実施例２の筐体２Ａの背面板２２Ａを除いた状態で背面で対称に接続され、上面板２１Ｃおよび底面板２４Ｃが１枚の大きな板に形成されている。
【００４２】
前傾部４１Ａの後方（拡散板３Ａからの光の照射方向の後方）に形成される縦断面菱形の空間Ｇには、支柱２９が設けられている。その他の構成は、実施例２の管状ＬＥＤ照明内蔵看板１Ａと同一であるので、同一要素に同一符号を付して詳細な説明を省略する。  
この構成により、両面の看板として提供することができ、両面とも実施例２と同一の効果を得ることができる。また、空間Ｇに支柱２９を設けることで、光の反射等を妨げることなく丈夫な管状ＬＥＤ照明内蔵看板１Ｃを提供することができる。
【実施例５】
【００４３】
図２（Ｄ）は、実施例３の管状ＬＥＤ照明内蔵看板１Ｂを背面で対称に接続して両面看板とした実施例５の管状ＬＥＤ照明内蔵看板１Ｄの縦断面図である。  
筐体２Ｄは、実施例３の筐体２Ｂの背面板２２Ｂを除いた状態で背面で対称に接続され、上面板２１Ｄおよび底面板２４Ｄが１枚の大きな板に形成されている。
【００４４】
上下の前傾部４１Ｂの後方（拡散板３Ｂからの光の照射方向の後方）に形成される縦断面三角形の空間ＧＤには、それぞれ支柱２９Ｄが設けられている。その他の構成は、実施例３の管状ＬＥＤ照明内蔵看板１Ｂと同一であるので、同一要素に同一符号を付して詳細な説明を省略する。  
この構成により、両面の看板として提供することができ、両面とも実施例３と同一の効果を得ることができる。また、空間ＧＤに支柱２９Ｄを設けることで、光の反射等を妨げることなく丈夫な管状ＬＥＤ照明内蔵看板１Ｄを提供することができる。
【実施例６】
【００４５】
図２（Ｅ）は、実施例４の管状ＬＥＤ照明内蔵看板１Ｃを拡散板３Ｃの平面方向で管状ＬＥＤ照明５と直行する方向へ複数段接続した実施例６の管状ＬＥＤ照明内蔵看板１Ｅの縦断面図である。
【００４６】
この場合、筐体２Ｅは、拡散板３Ｅを大きく構成し、その中に、実施例４の反射板４Ｃを連続して接続した形状の反射板４Ｅを備える。光調節空間ＥＥは上下方向に連結され、両面でそれぞれ１つの大きな空間となる。その他の構成は、実施例４の管状ＬＥＤ照明内蔵看板１Ｃと同一であるので、同一要素に同一符号を付して詳細な説明を省略する。
【００４７】
この構成により、実施例４よりも広い面積の拡散板３Ｅに大きな意匠を施すことができ、実施例４と同一の効果を得ることができる。
【実施例７】
【００４８】
図３は、実施例７の管状ＬＥＤ照明内蔵看板１Ｆの構成を示す縦断面図である。  
この管状ＬＥＤ照明内蔵看板１Ｆは、図２（Ｃ）の管状ＬＥＤ照明内蔵看板１Ｃの空間確保部４２Ａを取り除き、管状ＬＥＤ照明５を上下に１つずつにしたものである。
【００４９】
上下２つの管状ＬＥＤ照明５は、いずれも縦断面視すると上下の端部中央から反射板４Ｆの中心に向かって照明するよう配置されている。これにより、拡散板３Ａは、管状ＬＥＤ照明５から近い領域では、比較的光量の少ない管状ＬＥＤ照明５の側面からの直接光により照射され、管状ＬＥＤ照明５から離れた領域では、光量の多くなる管状ＬＥＤ照明５の発光方向中心付近の光が反射板４Ｆで反射した反射光により照射される。  
その他の構成は、実施例４の管状ＬＥＤ照明内蔵看板１Ｃと同一であるので、同一要素に同一符号を付して詳細な説明を省略する。
【００５０】
この構成により、実施例４と同一の効果を得ることができる。また、実施例４よりも管状ＬＥＤ照明５の数を減らせるため、消費電力をさらに抑制することができる。すなわち、蛍光灯を用いた看板であれば、同じサイズを想定すると、図示左側を照明する蛍光灯が３本、図示右側を照明する蛍光灯が３本で、計６本の蛍光灯が交互に配置される必要があった。このとき、消費電力は、４０Ｗの蛍光灯を６本で２４０Ｗとなる。これに対し、実施例７では２つの管状ＬＥＤ照明５で実現できるため、消費電力を大幅に削減できる。すなわち、管状ＬＥＤ照明５の消費電力２５Ｗが２本であるため、消費電力は５０Ｗとなる。従って、管状ＬＥＤ照明内蔵看板１Ｆは、蛍光灯の２４０Ｗと比べると約１／５の消費電力とすることができる。
【００５１】
この考案は、上述の実施形態の構成のみに限定されるものではなく、多くの実施の形態を得ることができる。  
例えば、実施例１の管状ＬＥＤ照明内蔵看板１を対称に接続するだけでなく、同じ方向で接続して面積を多くしてもよく、接続する数も実施例２〜７と異なる数としてもよい。
【産業上の利用可能性】
【００５２】
この考案は、施設に施工される看板や地面や床面等に置かれる看板など、電力供給を受けて発光する様々な看板に利用することができる。
【符号の説明】
【００５３】
１，１Ａ，１Ｂ，１Ｃ，１Ｄ，１Ｅ，１Ｆ…管状ＬＥＤ照明内蔵看板
２，２Ａ，２Ｂ，２Ｃ，２Ｄ，２Ｅ…筐体
３，３Ａ，３Ｂ，３Ｅ…拡散板
４，４Ａ，４Ｂ，４Ｅ，４Ｆ…反射板
５，５Ｆ…管状ＬＥＤ照明
２９，２９Ｄ…支柱
４１，４１Ａ，４１Ｂ，４１Ｅ，４１Ｆ…前傾部
５０…発光ユニット
５１…ヒートシンク
５３…基板
５５…ＬＥＤ
５７…透光カバー
５８…光屈折部
Ｅ，ＥＡ，ＥＢ，ＥＥ，ＥＦ…光調節空間
Ｒ…透光部
【図１】
0003184541.tif 000003
【図２】
0003184541.tif 000004
【図３】
0003184541.tif 000005